(57)【要約】【課題】  機械式メトロノームの動きや放物運動により近い表示を行う電子メトロノームの提供。【解決手段】  発音するタイミングを設定するためのタイミング設定部と、設定されたテンポのデータに基づくテンポ表示データおよびテンポ音信号を、前記タイミング設定部で設定された発音タイミング情報に基づいたタイミングでそれぞれ出力する制御部と、発光素子や液晶ディスプレイのセグメントによって構成され、前記制御部からのテンポ表示データを順次表示させることで、テンポを視覚的に表示する表示部と、前記制御部からのテンポ音信号を増幅して発音する発音部を具備する電子メトロノームにおいて、前記表示部の往復運動表示に対する発音のタイミングを自由に設定できることで、視覚聴覚ともに機械式メトロノームと近い表現で使用者にテンポを提示することを可能にした。【選択図】図２
2005257618.tif 000002
【特許請求の範囲】
【請求項１】
発音するタイミングを任意に設定するためのタイミング設定部と、
設定されたテンポのデータに基づくテンポ表示データおよびテンポ音信号を、前記タイミング設定部で設定された発音タイミング情報に基づいたタイミングでそれぞれ出力する制御部と、
発光素子や液晶ディスプレイのセグメントによって構成され、前記制御部からのテンポ表示データを順次表示させることで、テンポを視覚的に表示する表示部と、
前記制御部からのテンポ音信号を増幅して発音する発音部を具備することを特徴とする電子式メトロノーム。
【請求項２】
前記表示部は、発光素子や液晶ディスプレイのセグメントをライン上に複数配置して構成され、前記制御部からのテンポ表示データを順次表示させることで、一定間隔の往復運動の速度としてテンポを表示することを特徴とする、請求項１記載の電子式メトロノーム。
【請求項３】
前記タイミング設定部によって設定される発音タイミング情報は、前記表示部を構成する、ライン上に配置された複数の発光素子や液晶ディスプレイのセグメントの端に位置する素子やセグメントが点灯するタイミングを基準として、その基準からの時間の差で設定されることを特徴とする、請求項２記載の電子式メトロノーム。
【請求項４】
前記タイミング設定部によって設定される発音タイミング情報は、前記表示部を構成する、ライン上に配置された複数の発光素子や液晶ディスプレイのセグメントのいずれかの位置として設定されることを特徴とする、請求項２記載の電子式メトロノーム。
【請求項５】
前記タイミング設定部によって設定される発音タイミング情報は、前記表示部を構成する、ライン上に配置された複数の発光素子や液晶ディスプレイのセグメントの端に位置する素子やセグメントからの距離で設定することを特徴とする、請求項２記載の電子式メトロノーム。
【請求項６】
前記タイミング設定部によって設定される発音タイミング情報は、前記表示部を構成する複数の発光素子や液晶ディスプレイのセグメントが円弧上に配置されているとき、この円弧の一端から他端方向への角度で設定することを特徴とする、請求項２記載の電子式メトロノーム。
【請求項７】
ライン上に複数配置された発光素子や液晶ディスプレイのセグメントの点灯によって一定間隔の往復運動でテンポを表示するタイミングと、
発音によってテンポを提示するタイミングとをずらすことを特徴とする電子式メトロノームのテンポの提示方法。
【発明の詳細な説明】
【技術分野】
【０００１】
本発明は、楽器の練習等に利用する電子式メトロノームのテンポの提示方法に関するものである。
【背景技術】
【０００２】
従来、機械式メトロノームの、振り子のような針の動きを表現するために、発光ダイオードのような発光素子や液晶のセグメントを複数個ライン上に配列して、一端側から多端側へ順次点灯させていき、振り子のような動きを表現する方法が広く用いられている（例えば、特許文献１参照。）。また、発光素子の照度をテンポに合わせて変化させていくことで、少ない数の発光素子により振子の動きに近い動きを再現する技術も考案され、用いられている（例えば、特許文献２参照。）。
【特許文献１】特開２０００-８８９７７号公報（第１−１７頁、第２図）
【特許文献２】特開平９-１３３７７９号公報（第１頁、第４図）
【発明の開示】
【発明が解決しようとする課題】
【０００３】
従来の電子式メトロノームは、表示に関しては機械式メトロノームのタクトの動きを模擬しているが、音が発音されるタイミングはタクトの軌道を模擬した発光ダイオードや液晶の両端であった。しかし、実際の機械式メトロノームは、その構造上音の鳴るタイミングは振り子状の動作の両端、静止する場所ではなく、タクトが振り子運動で他端に達する、やや手前であった。よって、機械式メトロノームのタクトの動きと音の出るタイミングに慣れた人が使う場合はテンポの取り方に違和感を覚えることがあった。
【０００４】
そこで本発明の目的は、機械式メトロノームのタクトの動きを複数の発光素子の点灯の仕方で往復運動として再現した表示を行い、さらにその表示に対して発音されるタイミングを発光素子やセグメントの両端からややずらすことにより、より機械式メトロノームテンポ提示方法に近づけた電子式メトロノームを提供することにある。
【課題を解決するための手段】
【０００５】
上記の目的を達成するために、本発明は、電子式メトロノームにおいて、発音するタイミングを設定するためのタイミング設定部と、設定されたテンポのデータに基づくテンポ表示データおよびテンポ音信号を、前記タイミング設定部で設定された発音タイミング情報に基づいたタイミングでそれぞれ出力する制御部と、発光素子や液晶ディスプレイ上のセグメントをライン上に複数配置して構成され、前記制御部からのテンポ表示データを順次表示させることで、一定間隔の往復運動の速度としてテンポを表示する表示部と、前記制御部からのテンポ音信号を増幅して発音する発音部を具備し、前記表示部の往復運動表示に対する発音のタイミングを自由に設定できることで、視覚聴覚ともに機械式メトロノームと近い表現で使用者にテンポを提示することを可能にした。
【発明の効果】
【０００６】
以上説明したように本発明は、電子式メトロノームの往復運動表示に対する発音タイミングを任意に設定することで機械式メトロノームの針の動きと音の鳴るタイミングに近づけ、機械式メトロノームに慣れた人が違和感なくタイミングをとることを可能にした。また、音の鳴るタイミングを自由に設定できることで、視覚と聴覚で連符や裏打ちのようにテンポをとるなど、メトロノームの新しい使い方を提供することを可能にした。
【発明を実施するための最良の形態】
【０００７】
以下にこの発明の実施形態を図面に基づいて説明する。
【０００８】
図１は本発明に関わるメトロノームの実施形態の一例の正面図である。本体ケース１には、電源スイッチ２、テンポスイッチ３、タイミングスイッチ４、テンポ表示部５、スピーカー６を配置する。電源スイッチ２の操作でメトロノームの電源をオンさせ、テンポスイッチ３で目的のテンポを設定すると、設定された値に基づいてテンポ表示部５が点灯するなどして往復運動でテンポを表示し、またスピーカー６からテンポに合わせて発音し、メトロノームとして機能する。タイミングスイッチ４はテンポ表示部５の往復運動に対してどのタイミングで音を発音するかを設定するためのスイッチである。通常はメトロノームの往復運動の両端で設定されたテンポに基づいて発音されるが、タイミングスイッチ４を操作することで往復運動の両端以外の場所で発音するように設定することができる。
【０００９】
図２は本発明の電気回路の構成例である。ユーザーが望むテンポを設定するためのテンポ設定部７、発音タイミングを設定するためのタイミング設定部８、設定した値からメトロノームとして機能させるための処理を行う制御部９、そして制御部９からの指令を受けて設定通りの表示を行うための、発光素子などで構成された表示部１０、および設定通りのタイミングとテンポで発音する発音部１０で主に構成されている。図３は発音タイミングの設定項目を時間に変換するためのテーブルを示す図である。タイミングスイッチ４は往復運動のタイミングとずらす単位を、時間、場所、距離などで設定することができる。また、表示部１０が複数の発光素子や液晶ディスプレイのセグメントを円弧上に配置して構成されているときは、この円弧の一端から他端方向への角度でも設定が可能である。すなわち、通常の発音タイミングを基準として、基準からの時間の差で設定したり、またテンポ表示部５を構成する複数の発光素子や液晶セグメントが点灯した時に発音するように設定したり、両端の発光素子や液晶セグメントからの距離や角度で設定することができる。タイミング設定部８からはこれらの時間、場所、距離、角度などの情報が制御部９に送られる。制御部９では、まずこれらのデータを全てテンポ通りの発音を行うためのタイマのカウント値Ｔ＿ＤＡＴＡに換算する必要があるため、図３に示す発音タイミング変換テーブルを参照してＴ＿ＤＡＴＡの値を求める。そして、表示部１０に送られる表示データよりもＴ＿ＤＡＴＡで設定される時間分だけ早いタイミングでスタートさせる。これによって、テンポ表示５の往復運動とスピーカー６から発せられるテンポ音は常に一定の間隔でずれが生じ、視覚・聴覚それぞれのタイミングでテンポを知ることができる。
【実施例】
【００１０】
図４は本発明に基づく一実施例の電子メトロノームの、メインルーチンに関するフローチャートである。図５は本発明を実現するための、タイミングスイッチ入力ルーチンのフローチャートである。なお、これらの処理は制御部９にて行われる。
【００１１】
まず、電源がＯＮされると、テンポスイッチ３、タイミングスイッチ４の状態を読み込み、この状態をもとにそれぞれ設定テンポ、タイミングデータの値を取得する（Ｓ１０２）。次に設定テンポの値から、表示の切り替えとテンポ通りの発音をタイマで制御するためのカウント値を設定し、それぞれＤ＿ＴＥＭＰＯ、Ｓ＿ＴＥＭＰＯとする（Ｓ１０３）。また、タイミングデータから図３の発音タイミング変換テーブルを引用し、Ｔ＿ＤＡＴＡの値を取得する（Ｓ１０４）。そして、表示を制御するカウンタＤ＿ＣＯＵＮＴに求めたカウント値Ｄ＿ＴＥＭＰＯを、発音タイミングを制御するカウンタＳ＿ＣＯＵＮＴにＳ＿ＴＥＭＰＯからＴ＿ＤＡＴＡを引いた値を入れる。そしてタイマをスタートさせると、表示部１０と発音部１１にそれぞれデータが送られ、メトロノームとして機能する（Ｓ１０５）。メトロノームが動作している間に、Ｄ＿ＣＯＵＮＴがオーバーフローした場合は新しい表示データを表示部１０に送り、Ｄ＿ＴＥＭＰＯを再びＤ＿ＣＯＵＮＴに入れる。また、Ｓ＿ＣＯＵＮＴがオーバーフローした場合も同様に発音信号を発音部１１に送り、今度はＳ＿ＴＥＭＰＯの値をＳ＿ＣＯＵＮＴに入れる。よって、メトロノームのスタート時のみＴ＿ＤＡＴＡ分の遅延が発生し、求めた発音タイミングで発音させることができる。
【００１２】
次に、図５のフローチャートでタイミングスイッチ４の操作でタイミングデータが変化した場合の動作を説明する。タイミングスイッチ４からスイッチ入力の状態変化を受けつけると（Ｓ２０１）、まず一旦タイマをストップし、メトロノームの動作を停止させる。そして表示制御用カウンタをリセットするため、Ｄ＿ＣＯＵＮＴにＤ＿ＴＥＭＰＯを入れる（Ｓ２０２）。次に、テンポ設定部７から送られてきた変更後のタイミングデータを読み込み（Ｓ２０３）、そのデータを元に図３の発音タイミング変換テーブルから新規のカウンタ値Ｔ＿ＤＡＴＡを取得する（Ｓ２０４）。そして、Ｓ＿ＣＯＵＮＴにＳ＿ＴＥＭＰＯから先程取得したＴ＿ＤＡＴＡを引いた値を入れ、タイマを再スタートさせる（Ｓ２０５）。これによって、タイミングデータの変更が反映された状態でテンポ表示部５の表示とスピーカー６からの発音によるメトロノーム機能が再スタートするのである。
【００１３】
これによって、例えば機械式のメトロノームと同じような発音タイミングの設定にすることで、タイミング表示部５の往復運動とスピーカー６のメトロノーム音がややずれたテンポの提示の仕方を行うことも可能である。
【図面の簡単な説明】
【００１４】
【図１】本発明を用いた電子メトロノームの実施形態の一例を表す外観図である。
【図２】本発明を用いた電子メトロノームの実施形態の一例を表すブロック図である。
【図３】発音タイミング変換テーブルを示す図である。
【図４】メインルーチンを示すためのフローチャートである。
【図５】スイッチ入力ルーチンを示すためのフローチャートである。
【符号の説明】
【００１５】
１  本体ケース
２  電源スイッチ
３  テンポスイッチ
４  タイミングスイッチ
５  テンポ表示部
６    スピーカー
７    テンポ設定部
８    タイミング設定部
９    制御部
１０  表示部
１１  発音部
【図１】
2005257618.tif 000003
【図２】
2005257618.tif 000004
【図３】
2005257618.tif 000005
【図４】
2005257618.tif 000006
【図５】
2005257618.tif 000007